(57)【要約】【課題】  装置の電源遮断後も排出禁止状態が解除されることがなく媒体の排出を阻止できるリムーバブル媒体記録再生装置を提供することを目的とする。【解決手段】  リムーバブル媒体１０１を装置内部に移送して再生可能に載置または装置外部に移送して排出するリムーバブル媒体１０１のロード／イジェクト機構と、媒体１０１上の予め定めた領域に媒体排出禁止情報が記録されているか否かを検出する媒体排出禁止情報検出手段１１０と、媒体排出禁止情報検出手段１１０により媒体排出禁止情報の記録を検出した場合、装置のスイッチ手段１０４，１０５の状態変化または装置外部からの命令による媒体排出を行わず、媒体排出禁止情報の記録が検出されない場合、スイッチ手段１０４，１０５の状態変化または装置外部からの命令による媒体排出を行うよう前記ロード／イジェクト機構を動作させる制御手段１０６を備える。【選択図】      図１
2005209237.tif 000002
【特許請求の範囲】
【請求項１】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体上の予め定めた領域に媒体排出禁止情報が記録されているか否かを検出する媒体排出禁止情報検出手段と、
前記媒体排出禁止情報検出手段により媒体排出禁止情報の記録を検出した場合、前記スイッチ手段の状態変化または装置外部からの命令による媒体排出を行わず、前記媒体排出禁止情報検出手段により媒体排出禁止情報の記録が検出されない場合、前記スイッチ手段の状態変化または装置外部からの命令による媒体排出を行うよう前記リムーバブル媒体ロード／イジェクト機構を動作させる制御手段
を備えることを特徴とするリムーバブル媒体記録再生装置。
【請求項２】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体上の予め定めた領域に媒体排出禁止情報が記録されているか否かを検出する媒体排出禁止情報検出手段と、
前記リムーバブル媒体が装置内部にあるか否かを検出するリムーバブル媒体検出手段と、
前記リムーバブル媒体検出手段により前記リムーバブル媒体の有無を検出している間、または前記媒体排出禁止情報検出手段により前記リムーバブル媒体の媒体排出禁止情報が記録されているか否かを検出している間、または前記媒体排出禁止情報検出手段により媒体排出禁止情報の記録を検出した場合、前記スイッチ手段の状態変化または装置外部からの命令による媒体排出を行わず、
前記リムーバブル媒体検出手段によりリムーバブル媒体が装置内部に有ることが検出され、かつこのリムーバブル媒体に前記媒体排出禁止情報検出手段により媒体排出禁止情報の記録が検出されない場合、前記スイッチ手段の状態変化または装置外部からの命令による媒体排出を行うよう前記リムーバブル媒体ロード／イジェクト機構を動作させる制御手段
を備えることを特徴とするリムーバブル媒体記録再生装置。
【請求項３】
前記リムーバブル媒体ロード／イジェクト機構は、装置の電源遮断時に前記リムーバブル媒体を強制排出できない構成とすること
を特徴とする請求項１または請求項２に記載のリムーバブル媒体記録再生装置。
【請求項４】
前記制御手段は、装置外部よりの媒体排出禁止解除命令を受信してから、再度前記媒体排出禁止情報検出手段により前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出を行うこと
を特徴とする請求項１または請求項２に記載のリムーバブル媒体記録再生装置。
【請求項５】
前記媒体排出禁止情報は媒体排出禁止解除コードを含み、
前記制御手段は、前記媒体排出禁止解除命令が、前記媒体排出禁止解除コード、または前記媒体排出禁止解除コードを特定の規則で変換したデータを含む場合にのみ有効な命令として受け付けること
を特徴とする請求項４記載のリムーバブル媒体記録再生装置。
【請求項６】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体記録再生装置の電源供給遮断後も記憶内容を保持し書き換え可能な不揮発性記憶手段と、
前記リムーバブル媒体上の予め定めた領域に媒体排出禁止情報が記録されているか否かを検出する媒体排出禁止情報検出手段と、
前記媒体排出禁止情報検出手段により媒体排出禁止情報が記録されていることを検出した際には前記不揮発性記憶手段に媒体排出禁止フラグを記録し、
前記不揮発性記憶手段に媒体排出禁止フラグが記録されている場合には前記スイッチ手段の状態変化または装置外部からの命令による媒体排出を行わず、
前記不揮発性記憶手段に媒体排出禁止フラグが記録されていない場合には前記スイッチ手段の状態変化または装置外部からの命令による媒体排出を行うよう前記リムーバブル媒体ロード／イジェクト機構を動作させる制御手段
を備えること
を特徴とするリムーバブル媒体記録再生装置。
【請求項７】
前記リムーバブル媒体ロード／イジェクト機構は、装置の電源遮断時に前記リムーバブル媒体を強制排出できない構成とすること
を特徴とする請求項６に記載のリムーバブル媒体記録再生装置。
【請求項８】
前記制御手段は、装置外部よりの媒体排出禁止解除命令を受信した場
合、前記不揮発性記憶手段の媒体排出禁止フラグをクリアすること
を特徴とする請求項６記載のリムーバブル媒体記録再生装置。
【請求項９】
前記媒体排出禁止情報は媒体排出禁止解除コードを含み、
前記制御手段は、前記媒体排出禁止解除命令が、前記媒体排出禁止解除コード、または前記媒体排出禁止解除コードを特定の規則で変換したデータを含む場合にのみ有効な命令として受け付けること
を特徴とする請求項８記載のリムーバブル媒体記録再生装置。
【請求項１０】
前記リムーバブル媒体ロード／イジェクト機構は、
装置の電源遮断時に媒体を強制排出することを可能とする強制排出機構と、
前記強制排出機構を動作不能状態と動作可能状態を機構的に切り替える強制排出機構切り替え手段と、
を備え、
前記制御手段は、
前記媒体排出禁止情報が記録されている場合、前記強制排出機構切り替え手段を制御して強制排出機構を動作不能状態とし、
前記媒体排出禁止情報が記録されていない場合、前記強制排出機構切り替え手段を制御して強制排出機構を動作可能状態とするよう動作すること
を特徴とする請求項１または請求項２または請求項６のいずれか１項に記載のリムーバブル媒体記録再生装置。
【請求項１１】
前記リムーバブル媒体ロード／イジェクト機構の強制排出機構は、装置の電源遮断時に装置前面に設けられた孔にピンを挿入することで媒体を強制排出するように構成され、
前記リムーバブル媒体ロード／イジェクト機構の強制排出機構切り替え手段は、前記装置前面に設けられた孔を開閉することで前記強制排出機構を動作不能状態と動作可能状態を機構的に切り替えるよう構成されていること
を特徴とする請求項１０記載のリムーバブル媒体記録再生装置。
【請求項１２】
前記リムーバブル媒体ロード／イジェクト機構の強制排出機構は、装置の電源遮断時に装置前面に設けられた孔にピンを挿入して前記ロード／イジェクト機構に連動した強制排出レバーを押すことで媒体を強制排出するよう構成され、
前記リムーバブル媒体ロード／イジェクト機構の強制排出機構切り替え手段は、前記強制排出レバーを前記孔にピンを挿入することで媒体を強制排出させることが可能な位置と、前記強制排出レバーを前記孔にピンを挿入しても強制排出出来ない位置に、選択的に切り替える構成とすること
を特徴とする請求項１０記載のリムーバブル媒体記録再生装置。
【請求項１３】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置の媒体排出制御方法であって、
前記リムーバブル媒体上の予め定めた領域に媒体排出禁止情報が記録されているか否かを判断するステップと、
前記媒体排出禁止情報が記録されていると判断すると、前記スイッチ手段の状態変化または装置外部からの命令による媒体排出を行わないステップと、
前記媒体排出禁止情報が記録されていないと判断すると、前記スイッチ手段の状態変化または装置外部からの命令による媒体排出を行うよう前記リムーバブル媒体ロード／イジェクト機構を動作させるステップと
を有することを特徴とするリムーバブル媒体記録再生装置の媒体排出制御方法。
【請求項１４】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置の媒体排出制御方法であって、
前記リムーバブル媒体が装置内部に有るか否かを検出していると判断したとき、または前記リムーバブル媒体上の予め定めた領域に媒体排出禁止情報が記録されているか否かを検出していると判断したとき、または前記媒体排出禁止情報が記録されていると判断したとき、前記スイッチ手段の状態変化または装置外部からの命令による媒体排出を行わないステップと、
前記リムーバブル媒体が装置内部に有ると判断し、かつこのリムーバブル媒体に前記媒体排出禁止情報が記録されていないと判断したとき、前記スイッチ手段の状態変化または装置外部からの命令による媒体排出を行うよう前記リムーバブル媒体ロード／イジェクト機構を動作させるステップと
を有することを特徴とするリムーバブル媒体記録再生装置の媒体排出制御方法。
【請求項１５】
装置外部より媒体排出禁止解除命令を受信すると、媒体排出禁止を解除するステップと、
前記媒体排出禁止が解除されてから、再度前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出を行うステップ
を有することを特徴とする請求項１３または請求項１４に記載のリムーバブル媒体記録再生装置の媒体排出制御方法。
【請求項１６】
前記媒体排出禁止情報は媒体排出禁止解除コードを含み、
前記媒体排出禁止解除命令は前記媒体排出禁止解除コードまたは前記媒体排出禁止解除コードを特定の規則で変換したデータを含むか否かを判断し、含むと判断したとき前記媒体排出禁止解除命令を有効な命令として受け付けるステップ
を有することを特徴とする請求項１５記載のリムーバブル媒体記録再生装置の媒体排出制御方法。
【請求項１７】
装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構と、不揮発性記憶手段を備えるリムーバブル媒体記録再生装置の媒体排出制御方法であって、
前記リムーバブル媒体上の予め定めた領域に媒体排出禁止情報が記録されているか否かを判断するステップと、
媒体排出禁止情報が記録されていると判断すると、前記不揮発性記憶手段に媒体排出禁止フラグを記録するステップと、
前記不揮発性記憶手段に媒体排出禁止フラグが記録されているか否かを判断するステップと、
前記不揮発性記憶手段に媒体排出禁止フラグが記録されていると判断すると、前記スイッチ手段の状態変化または装置外部からの命令による媒体排出を行わないステップと、
前記不揮発性記憶手段に媒体排出禁止フラグが記録されていないと判断すると、前記スイッチ手段の状態変化または装置外部からの命令による媒体排出を行うよう前記リムーバブル媒体ロード／イジェクト機構を動作させるステップと
を有することを特徴とするリムーバブル媒体記録再生装置の媒体排出制御方法。
【請求項１８】
装置外部より媒体排出禁止解除命令を受信すると、前記不揮発性記憶手段の媒体排出禁止フラグをクリアするステップ
を有することを特徴とする請求項１７記載のリムーバブル媒体記録再生装置の媒体排出制御方法。
【請求項１９】
前記媒体排出禁止情報は媒体排出禁止解除コードを含み、
前記媒体排出禁止解除命令は前記媒体排出禁止解除コードまたは前記媒体排出禁止解除コードを特定の規則で変換したデータを含むか否かを判断し、含むと判断したとき前記媒体排出禁止解除命令を有効な命令として受け付けるステップ
を有することを特徴とする請求項１８記載のリムーバブル媒体記録再生装置の媒体排出制御方法。
【請求項２０】
前記リムーバブル媒体ロード／イジェクト機構は、装置の電源遮断時に媒体を強制排出することを可能とする強制排出機構と、前記強制排出機構を動作不能状態と動作可能状態を機構的に切り替える強制排出機構切り替え手段を備えており、
前記スイッチ手段の状態変化または装置外部からの命令による媒体排出を行わないステップとして、前記強制排出機構切り替え手段を制御して前記強制排出機構を動作不能状態とするステップを実行し、
前記スイッチ手段の状態変化または装置外部からの命令による媒体排出を行うよう前記リムーバブル媒体ロード／イジェクト機構を動作させるステップとして、前記強制排出機構切り替え手段を制御して前記強制排出機構を動作可能状態とするステップを実行すること
を特徴とする請求項１３または請求項１４または請求項１７のいずれか１項に記載のリムーバブル媒体記録再生装置の媒体排出制御方法。
【請求項２１】
装置外部または内部に設けられたスイッチ手段の状態変化または装置外部からの命令により動作してリムーバブル媒体を装置内部に移送して再生可能に載置または、装置外部に移送して排出するリムーバブル媒体ロード／イジェクト機構と、
前記リムーバブル媒体のデータの読み出しまたは記録、および読み出したデータの処理を行う制御手段と、
前記制御手段の動作を使用者が任意に制御する為の入力手段と、
を備える情報処理装置の媒体排出制御方法であって、
前記リムーバブル媒体上の予め定めた領域に媒体排出禁止情報が記録されているか否かを判断するステップと、
前記媒体排出禁止情報が記録されていると判断すると、前記スイッチ手段の状態変化または前記入力手段からの命令による媒体排出を行わないステップと、
前記媒体排出禁止情報が記録されていないと判断すると、前記スイッチ手段の状態変化または前記入力手段からの命令による媒体排出を行うよう前記リムーバブル媒体ロード／イジェクト機構を動作させるステップと
を有することを特徴とする情報処理装置のリムーバブル媒体排出制御方法。
【請求項２２】
装置外部または内部に設けられたスイッチ手段の状態変化または装置外部からの命令により動作してリムーバブル媒体を装置内部に移送して再生可能に載置または、装置外部に移送して排出するリムーバブル媒体ロード／イジェクト機構と、前記リムーバブル媒体のデータの読み出しまたは記録、および読み出したデータの処理を行う制御手段と、前記制御手段の動作を使用者が任意に制御する為の入力手段とを備える情報処理装置の媒体排出制御方法において、
前記リムーバブル媒体が装置内部に有るか否かを検出していると判断したとき、または前記リムーバブル媒体上の予め定めた領域に媒体排出禁止情報が記録されているか否かを検出していると判断したとき、または前記媒体排出禁止情報が記録されていると判断したとき、前記スイッチ手段の状態変化または装置外部からの命令による媒体排出を行わないステップと、
前記リムーバブル媒体が装置内部に有ると判断し、かつこのリムーバブル媒体に前記媒体排出禁止情報が記録されていないと判断したとき、前記スイッチ手段の状態変化または装置外部からの命令による媒体排出を行うよう前記リムーバブル媒体ロード／イジェクト機構を動作させるステップと
を有することを特徴とする情報処理装置のリムーバブル媒体排出制御方法。
【請求項２３】
前記入力手段の特定の操作により媒体排出禁止を解除するステップと、
前記媒体排出禁止を解除してから再度、前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出をおこなうステップ
を有することを特徴とする請求項２１または請求項２２に記載の情報処理装置のリムーバブル媒体排出制御方法。
【請求項２４】
前記媒体排出禁止情報は媒体排出禁止解除コードを含み、
前記入力手段の操作により、媒体排出禁止解除命令として、前記媒体排出禁止解除コードまたは前記媒体排出禁止解除コードを特定の規則で変換したデータを含む入力が行われたとき、前記媒体排出禁止解除命令を有効な命令として受け付けるステップ
を有することを特徴とする請求項２３記載の情報処理装置のリムーバブル媒体排出制御方法。
【請求項２５】
前記入力手段の操作により前記記録可能なリムーバブル媒体の予め定めた領域に媒体排出禁止情報を記録するステップ
を有することを特徴とする請求項２１または請求項２２記載の情報処理装置のリムーバブル媒体排出制御方法。
【請求項２６】
前記入力手段の操作により入力された文字列、または入力された文字列を特定の規則で変換した媒体排出禁止解除コードを生成するステップと、
前記生成された媒体排出禁止解除コードを含む媒体排出禁止情報を前記記録可能なリムーバブル媒体の予め定めた領域に記録するステップと、
前記入力手段の操作により媒体排出禁止状態を解除するとき、前記媒体排出禁止解除コードまたは前記媒体排出禁止解除コードを特定の規則で変換したデータを含む入力が行われた場合、前記媒体排出禁止を解除するステップと、
前記媒体排出禁止を解除してから、再度前記リムーバブル媒体が装置に挿入された際に予め定めた媒体上の領域に媒体排出禁止情報が記録されていることを検出するまでの間はすべての前記スイッチ手段の状態変化または前記入力手段からの命令による媒体排出をおこなうステップ
を有することを特徴とする請求項２１または２２記載の情報処理装置のリムーバブル媒体排出制御方法。
【請求項２７】
前記リムーバブル媒体にデータを記録するとき、強制的にリムーバブル媒体の予め定めた領域に媒体排出禁止情報を記録するステップと、
記録完了後に媒体排出禁止状態とするステップ
を有することを特徴とする請求項２１または請求項２２記載の情報処理装置のリムーバブル媒体排出制御方法。
【請求項２８】
装置外部または内部に設けられたスイッチ手段の状態変化、または装置外部からの命令により動作して、リムーバブル媒体を装置内部に移送して再生可能に載置または、装置外部に移送して排出するリムーバブル媒体ロード／イジェクト機構と、不揮発性記憶手段と、前記リムーバブル媒体のデータの読み出しまたは記録、および読み出したデータの実行を行う制御手段と、前記制御手段の動作を使用者が任意に制御する為の入力手段とを備える情報処理装置の媒体排出制御方法であって、
前記リムーバブル媒体上の予め定めた領域に媒体排出禁止情報が記録されているか否かを判断するステップと、
媒体排出禁止情報が記録されていると判断すると、前記不揮発性記憶手段に媒体排出禁止フラグを記録するステップと、
前記不揮発性記憶手段に媒体排出禁止フラグが記録されているか否かを判断するとステップと、
前記不揮発性記憶手段に媒体排出禁止フラグが記録されていると判断すると、前記スイッチ手段の状態変化または前記入力手段からの命令による媒体排出を行わないステップと、
前記不揮発性記憶手段に媒体排出禁止フラグが記録されていないと判断すると、前記スイッチ手段の状態変化または前記入力手段からの命令による媒体排出を行う様前記リムーバブル媒体ロード／イジェクト機構を動作させるステップと
を有することを特徴とする情報処理装置のリムーバブル媒体排出制御方法。
【請求項２９】
前記入力手段の特定の操作により媒体排出禁止を解除するステップと、
前記媒体排出禁止が解除されると、前記不揮発性記憶手段の媒体排出禁止フラグをクリアするステップ
を有することを特徴とする請求項２８記載の情報処理装置のリムーバブル媒体排出制御方法。
【請求項３０】
前記媒体排出禁止情報は媒体排出禁止解除コードを含み、
前記入力手段の操作により、媒体排出禁止解除命令として、前記媒体排出禁止解除コードまたは前記媒体排出禁止解除コードを特定の規則で変換したデータを含む入力が行われたとき、前記媒体排出禁止解除命令を有効な命令として受け付けるステップ
を有することを特徴とする請求項２９記載の情報処理装置のリムーバブル媒体排出制御方法。
【請求項３１】
前記入力手段の操作により前記記録可能なリムーバブル媒体の予め定めた領域に媒体排出禁止情報を記録し、前記不揮発性記憶手段に媒体排出フラグを記録するステップ
を有することを特徴とする請求項２８記載の情報処理装置のリムーバブル媒体排出制御方法。
【請求項３２】
前記入力手段の操作により入力された文字列、または入力された文字列を特定の規則で変換した媒体排出禁止解除コードを生成するステップと、
前記生成された媒体排出禁止解除コードを含む媒体排出禁止情報を前記記録可能なリムーバブル媒体の予め定めた領域に記録し、前記不揮発性記憶手段に媒体排出禁止フラグを記録するステップと、
前記入力手段の操作により、媒体排出禁止解除命令として、前記媒体排出禁止解除コードまたは前記媒体排出禁止解除コードを特定の規則で変換したデータを含む入力が行われた否かを判断するステップと、
前記媒体排出禁止解除コードまたは前記媒体排出禁止解除コードを特定の規則で変換したデータを含む入力が行われたと判断すると、前記不揮発性記憶手段の媒体排出禁止フラグをクリアするステップと
を有することを特徴とする請求項２８記載の情報処理装置のリムーバブル媒体排出制御方法。
【請求項３３】
前記リムーバブル媒体にデータを記録するとき、強制的にリムーバブル媒体の予め定めた領域に媒体排出禁止情報を記録するステップと、
記録完了後に媒体排出禁止状態とするステップ
を有することを特徴とする請求項２８記載の情報処理装置のリムーバブル媒体排出制御方法。
【請求項３４】
前記リムーバブル媒体ロード／イジェクト機構は、装置の電源遮断時に媒体を強制排出することを可能とする強制排出機構と、前記強制排出機構を動作不能状態と動作可能状態を機構的に切り替える強制排出機構切り替え手段とを備えており、
前記スイッチ手段の状態変化または前記入力手段からの命令による媒体排出を行わないステップとして、前記強制排出機構切り替え手段を制御して強制排出機構を動作不能状態とするステップを実行し、
前記スイッチ手段の状態変化または前記入力手段からの命令による媒体排出を行う様前記リムーバブル媒体ロード／イジェクト機構を動作させるステップとして、前記強制排出機構切り替え手段を制御して強制排出機構を動作可能状態とするステップを実行すること、
を特徴とする請求項２１または請求項２２または請求項２８のいずれか１項に記載の情報処理装置のリムーバブル媒体排出制御方法。
【発明の詳細な説明】
【技術分野】
【０００１】
本発明は、リムーバブル媒体記録再生装置およびリムーバブル媒体記録再生装置を搭載した情報処理装置におけるリムーバブル媒体の排出制御方法に関し、特にリムーバブル媒体の排出を禁止する技術に関するものである。
【背景技術】
【０００２】
ディスク型の情報記憶媒体（以下適宜、ディスクと略称する）やカード型の記録媒体の交換が可能な、例えばＣＤ−ＲＯＭドライブ、半導体メモリーカード等のリムーバブル媒体記録再生装置は、パーソナルコンピュータやゲーム機等の情報処理装置において、従来から一般的に使用されている。
【０００３】
これらのリムーバブル媒体の交換方法には、大別して２種類がある。
第１の方法は、機械式方法でユーザが機械的にフタあるいは引き出し式のトレーによる引き出し／収納、またはディスクそれ自体あるいはディスクを収納した保護ケースの掃き出し／取り込みにより、イジェクトあるいはローディングを行って、リムーバブル媒体の交換を行う方法である。
【０００４】
第２の方法は、スイッチ等の操作により、電気的にフタあるいは引き出し式のトレーによる引き出し／収納、またはディスクそれ自体あるいはディスクを収納した保護ケースの掃き出し／取り込みにより、イジェクトあるいはローディングを行って、リムーバブル媒体の交換を行う方法である。
【０００５】
また、媒体の記録再生動作中に媒体を排出されるとデータの破壊が発生したり、ディスク型記録媒体の回転中に排出を行うと媒体に傷が発生したり回転による怪我の恐れがあるため、種々の装置・方法で媒体の排出を禁止している。
【０００６】
このような媒体の排出を禁止する装置としては、前記第１の機械式方法では特開平３−１２８５２号公報に記載されているように、イジェクト機構の動作を禁止するラッチングソレノイドと、電源停止後一定時間を経過した時点でラッチングソレノイドによるイジェクト機構の動作禁止を解除する禁止解除手段と、常時は充電されるとともに上記ラッチングソレノイドおよび禁止解除手段に電源を供給する蓄電池を備えたものが知られている。
【０００７】
また前記第２の電気的方法では、媒体の記録／再生中は媒体排出命令や媒体排出スイッチの操作を受け付けないように制御したり、媒体排出禁止／排出禁止解除命令により媒体排出の禁止を制御するものが一般的である。また、電気的方法では電源遮断時や機器故障時などの緊急時に媒体を排出するために緊急排出用として、装置前面に設けた孔からピンを挿入して機械的に強制排出することが可能なものもある。
【特許文献１】特開平３−１２８５２号公報
【発明の開示】
【発明が解決しようとする課題】
【０００８】
しかしながら、上記媒体の排出を禁止する方法では、一般的な命令により媒体の排出を禁止することや電源遮断後は排出禁止状態が解除されてしまうことから、セキュリティ上媒体を容易に排出させたくない場合には用いることができず、装置の媒体排出口に鍵付きの蓋を設けたりといった方法がとられていた。
【０００９】
そこで、本発明は、装置の電源遮断後も排出禁止状態が解除されることがなく媒体の排出を阻止できるリムーバブル媒体記録再生装置およびリムーバブル媒体記録再生装置の媒体排出制御方法および情報処理装置のリムーバブル媒体排出制御方法を提供することを目的としたものである。
【課題を解決するための手段】
【００１０】
前述した目的を達成するために、本発明のうち請求項１に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体上の予め定めた領域に媒体排出禁止情報が記録されているか否かを検出する媒体排出禁止情報検出手段と、前記媒体排出禁止情報検出手段により媒体排出禁止情報の記録を検出した場合、前記スイッチ手段の状態変化または装置外部からの命令による媒体排出を行わず、前記媒体排出禁止情報検出手段により媒体排出禁止情報の記録が検出されない場合、前記スイッチ手段の状態変化または装置外部からの命令による媒体排出を行うよう前記リムーバブル媒体ロード／イジェクト機構を動作させる制御手段を備えることを特徴とするものである。
【００１１】
上記構成によれば、リムーバブル媒体の予め定めた領域に記録された媒体排出禁止情報を用いてリムーバブル媒体の排出禁止が制御される。よって装置の電源遮断後も排出禁止状態が解除されることがなく装置に挿入される媒体毎に使用者による媒体排出の可否を決定することができる。
【００１２】
また請求項２に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体上の予め定めた領域に媒体排出禁止情報が記録されているか否かを検出する媒体排出禁止情報検出手段と、前記リムーバブル媒体が装置内部にあるか否かを検出するリムーバブル媒体検出手段と、前記リムーバブル媒体検出手段により前記リムーバブル媒体の有無を検出している間、または前記媒体排出禁止情報検出手段により前記リムーバブル媒体の媒体排出禁止情報が記録されているか否かを検出している間、または前記媒体排出禁止情報検出手段により媒体排出禁止情報の記録を検出した場合、前記スイッチ手段の状態変化または装置外部からの命令による媒体排出を行わず、前記リムーバブル媒体検出手段によりリムーバブル媒体が装置内部に有ることが検出され、かつこのリムーバブル媒体に前記媒体排出禁止情報検出手段により媒体排出禁止情報の記録が検出されない場合、前記スイッチ手段の状態変化または装置外部からの命令による媒体排出を行うよう前記リムーバブル媒体ロード／イジェクト機構を動作させる制御手段を備えることを特徴とするものである。
【００１３】
上記構成によれば、リムーバブル媒体の予め定めた領域に記録された媒体排出禁止情報を用いてリムーバブル媒体の排出禁止が制御され、またリムーバブル媒体の有無検出中、または装置の電源投入直後の媒体に排出禁止情報が記録されているかどうかが判明するまでは媒体の排出が禁止される。よって、装置の電源投入直後に媒体が排出されてしまうことが防止され、また装置の電源遮断後も排出禁止状態が解除されることがなく装置に挿入される媒体毎に使用者による媒体排出の可否を決定することができる。
【００１４】
また請求項３に記載の発明は、請求項１または請求項２に記載の発明であって、前記リムーバブル媒体ロード／イジェクト機構は、装置の電源遮断時に前記リムーバブル媒体を強制排出できない構成とすることを特徴とするものである。
【００１５】
上記構成によれば、装置の電源遮断時に強制排出できない構成とすることにより、電源遮断時に強制排出機構を用いて媒体を強制排出されることが防止される。
また請求項４に記載の発明は、請求項１または請求項２に記載の発明であって、前記制御手段は、装置外部よりの媒体排出禁止解除命令を受信してから、再度前記媒体排出禁止情報検出手段により前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出を行うことを特徴とするものである。
【００１６】
上記構成によれば、媒体排出禁止解除命令を受信すると、次に媒体排出禁止装置に挿入され、予め定めた媒体上の領域に媒体排出禁止情報が記録されていることを検出するまでの間は媒体排出禁止が解除される。
【００１７】
また請求項５に記載の発明は、請求項４に記載の発明であって、前記媒体排出禁止情報は媒体排出禁止解除コードを含み、前記制御手段は、前記媒体排出禁止解除命令が、前記媒体排出禁止解除コード、または前記媒体排出禁止解除コードを特定の規則で変換したデータを含む場合にのみ有効な命令として受け付けることを特徴とするものである。
【００１８】
上記構成によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受信したときのみに、次に媒体排出禁止装置に挿入され、予め定めた媒体上の領域に媒体排出禁止情報が記録されていることを検出するまでの間は媒体排出禁止は解除される。
【００１９】
また請求項６に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置であって、
前記リムーバブル媒体記録再生装置の電源供給遮断後も記憶内容を保持し書き換え可能な不揮発性記憶手段と、前記リムーバブル媒体上の予め定めた領域に媒体排出禁止情報が記録されているか否かを検出する媒体排出禁止情報検出手段と、前記媒体排出禁止情報検出手段により媒体排出禁止情報が記録されていることを検出した際には前記不揮発性記憶手段に媒体排出禁止フラグを記録し、前記不揮発性記憶手段に媒体排出禁止フラグが記録されている場合には前記スイッチ手段の状態変化または装置外部からの命令による媒体排出を行わず、前記不揮発性記憶手段に媒体排出禁止フラグが記録されていない場合には前記スイッチ手段の状態変化または装置外部からの命令による媒体排出を行うよう前記リムーバブル媒体ロード／イジェクト機構を動作させる制御手段を備えることを特徴とするものである。
【００２０】
上記構成によれば、リムーバブル媒体の予め定めた領域に記録された媒体排出禁止情報を用いてリムーバブル媒体の排出禁止が制御され、さらに媒体排出禁止情報が記録された媒体が装置内部にあるという情報が装置内部の不揮発性記憶手段に記憶されることにより、装置の電源投入直後の媒体に排出禁止情報が記録されているかどうかが判明するまでの間も媒体の排出を禁止される。よって、装置の電源遮断後も排出禁止状態が解除されることがなく装置に挿入される媒体毎に使用者による媒体排出の可否を決定することができる。
【００２１】
また請求項７に記載の発明は、請求項６に記載の発明であって、前記リムーバブル媒体ロード／イジェクト機構は、装置の電源遮断時に前記リムーバブル媒体を強制排出できない構成とすることを特徴とするものである。
【００２２】
上記構成によれば、装置の電源遮断時に強制排出できない構成とすることにより、電源遮断時に強制排出機構を用いて媒体を強制排出されることが防止される。
また請求項８に記載の発明は、請求項６に記載の発明であって、前記制御手段は、装置外部よりの媒体排出禁止解除命令を受信した場合、前記不揮発性記憶手段の媒体排出禁止フラグをクリアすることを特徴とするものである。
【００２３】
上記構成によれば、装置外部よりの媒体排出禁止解除命令を受信した場合、前記不揮発性記憶手段の媒体排出禁止フラグをクリアされ、次に媒体排出禁止装置に挿入されるまでの間は媒体排出禁止は解除される。
【００２４】
また請求項９に記載の発明は、請求項８に記載の発明であって、前記媒体排出禁止情報は媒体排出禁止解除コードを含み、前記制御手段は、前記媒体排出禁止解除命令が、前記媒体排出禁止解除コード、または前記媒体排出禁止解除コードを特定の規則で変換したデータを含む場合にのみ有効な命令として受け付けることを特徴とするものである。
【００２５】
上記構成によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受け取ったときのみに、次に媒体排出禁止装置に挿入されるまでの間は媒体排出禁止は解除される。
【００２６】
また請求項１０に記載の発明は、請求項１または請求項２または請求項６のいずれか１項に記載の発明であって、前記リムーバブル媒体ロード／イジェクト機構は、装置の電源遮断時に媒体を強制排出することを可能とする強制排出機構と、前記強制排出機構を動作不能状態と動作可能状態を機構的に切り替える強制排出機構切り替え手段とを備え、前記制御手段は、前記媒体排出禁止情報が記録されている場合、前記強制排出機構切り替え手段を制御して強制排出機構を動作不能状態とし、前記媒体排出禁止情報が記録されていない場合、前記強制排出機構切り替え手段を制御して強制排出機構を動作可能状態とするよう動作することを特徴とするものである。
【００２７】
上記構成によれば、リムーバブル媒体の予め定めた領域に記録された媒体排出禁止情報を用いてリムーバブル媒体の排出禁止が強制排出機構の動作も含めて制御される。よって、装置の電源遮断後も排出禁止状態が解除されることがなく装置に挿入される媒体毎に使用者による媒体排出の可否を決定することができる。
【００２８】
また請求項１１に記載の発明は、請求項１０に記載の発明であって、前記リムーバブル媒体ロード／イジェクト機構の強制排出機構は、装置の電源遮断時に装置前面に設けられた孔にピンを挿入することで媒体を強制排出するように構成され、前記リムーバブル媒体ロード／イジェクト機構の強制排出機構切り替え手段は、前記装置前面に設けられた孔を開閉することで前記強制排出機構を動作不能状態と動作可能状態を機構的に切り替えるよう構成されていることを特徴とするものである。
【００２９】
上記構成によれば、リムーバブル媒体ロード／イジェクト機構の強制排出機構は、装置前面に設けられた孔を開閉することで動作不能状態と動作可能状態に機構的に切り替えられる。
【００３０】
また請求項１２に記載の発明は、請求項１０に記載の発明であって、前記リムーバブル媒体ロード／イジェクト機構の強制排出機構は、装置の電源遮断時に装置前面に設けられた孔にピンを挿入して前記ロード／イジェクト機構に連動した強制排出レバーを押すことで媒体を強制排出するよう構成され、前記リムーバブル媒体ロード／イジェクト機構の強制排出機構切り替え手段は、前記強制排出レバーを前記孔にピンを挿入することで媒体を強制排出させることが可能な位置と、前記強制排出レバーを前記孔にピンを挿入しても強制排出出来ない位置に、選択的に切り替える構成とすることを特徴とするものである。
【００３１】
上記構成によれば、リムーバブル媒体ロード／イジェクト機構の強制排出機構は、強制排出レバーを孔にピンを挿入することで媒体を強制排出させることが可能な位置と、前記強制排出レバーを孔にピンを挿入しても強制排出できない位置に、選択的に切り替えられる。
【００３２】
また請求項１３に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置の媒体排出制御方法であって、
前記リムーバブル媒体上の予め定めた領域に媒体排出禁止情報が記録されているか否かを判断するステップと、前記媒体排出禁止情報が記録されていると判断すると、前記スイッチ手段の状態変化または装置外部からの命令による媒体排出を行わないステップと、前記媒体排出禁止情報が記録されていないと判断すると、前記スイッチ手段の状態変化または装置外部からの命令による媒体排出を行うよう前記リムーバブル媒体ロード／イジェクト機構を動作させるステップとを有することを特徴とするものである。
【００３３】
上記方法によれば、リムーバブル媒体の予め定めた領域に記録された媒体排出禁止情報を用いてリムーバブル媒体の排出禁止が制御される。よって、装置の電源遮断後も排出禁止状態が解除されることがなく装置に挿入される媒体毎に使用者による媒体排出の可否を決定することができる。
【００３４】
また請求項１４に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構を備えるリムーバブル媒体記録再生装置の媒体排出制御方法であって、
前記リムーバブル媒体が装置内部に有るか否かを検出していると判断したとき、または前記リムーバブル媒体上の予め定めた領域に媒体排出禁止情報が記録されているか否かを検出していると判断したとき、または前記媒体排出禁止情報が記録されていると判断したとき、前記スイッチ手段の状態変化または装置外部からの命令による媒体排出を行わないステップと、前記リムーバブル媒体が装置内部に有ると判断し、かつこのリムーバブル媒体に前記媒体排出禁止情報が記録されていないと判断したとき、前記スイッチ手段の状態変化または装置外部からの命令による媒体排出を行うよう前記リムーバブル媒体ロード／イジェクト機構を動作させるステップとを有することを特徴とするものである。
【００３５】
上記方法によれば、リムーバブル媒体の予め定めた領域に記録された媒体排出禁止情報を用いてリムーバブル媒体の排出禁止が制御され、またリムーバブル媒体が装置内部にあるかどうかを検出中、またはリムーバブル媒体の媒体排出禁止情報が記録されているかどうかを読み取るまでの間、媒体の排出が禁止される。よって、装置の電源投入直後に媒体が排出されてしまうことが防止され、また装置の電源遮断後も排出禁止状態が解除されることがなく装置に挿入される媒体毎に使用者による媒体排出の可否を決定することができる。
【００３６】
また請求項１５に記載の発明は、請求項１３または請求項１４に記載の発明であって、装置外部より媒体排出禁止解除命令を受信すると、媒体排出禁止を解除するステップと、前記媒体排出禁止が解除されてから、再度前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出を行うステップを有することを特徴とするものである。
【００３７】
上記方法によれば、媒体排出禁止解除命令を受信すると、次に媒体が装置に挿入され、予め定めた媒体上の領域に媒体排出禁止情報が記録されていることが検出されるまでの間は媒体排出禁止が解除される。
【００３８】
また請求項１６に記載の発明は、請求項１５に記載の発明であって、前記媒体排出禁止情報は媒体排出禁止解除コードを含み、前記媒体排出禁止解除命令は前記媒体排出禁止解除コードまたは前記媒体排出禁止解除コードを特定の規則で変換したデータを含むか否かを判断し、含むと判断したとき前記媒体排出禁止解除命令を有効な命令として受け付けるステップを有することを特徴とするものである。
【００３９】
上記方法によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受信したときのみに、次に媒体が装置に挿入され、予め定めた媒体上の領域に媒体排出禁止情報が記録されていることが検出されるまでの間は媒体排出禁止が解除される。
【００４０】
また請求項１７に記載の発明は、装置外部または内部に設けられたスイッチ手段の状態変化、または装置外部からの命令により動作して、リムーバブル媒体を装置内部に移送して再生可能に載置または装置外部に移送して排出するリムーバブル媒体ロード／イジェクト機構と不揮発性記憶手段を備えるリムーバブル媒体記録再生装置の媒体排出制御方法であって、
前記リムーバブル媒体上の予め定めた領域に媒体排出禁止情報が記録されているか否かを判断するステップと、媒体排出禁止情報が記録されていると判断すると、前記不揮発性記憶手段に媒体排出禁止フラグを記録するステップと、前記不揮発性記憶手段に媒体排出禁止フラグが記録されているか否かを判断するステップと、前記不揮発性記憶手段に媒体排出禁止フラグが記録されていると判断すると、前記スイッチ手段の状態変化または装置外部からの命令による媒体排出を行わないステップと、前記不揮発性記憶手段に媒体排出禁止フラグが記録されていないと判断すると、前記スイッチ手段の状態変化または装置外部からの命令による媒体排出を行うよう前記リムーバブル媒体ロード／イジェクト機構を動作させるステップとを有することを特徴とするものである。
【００４１】
上記方法によれば、リムーバブル媒体の予め定めた領域に記録された媒体排出禁止情報を用いてリムーバブル媒体の排出禁止が制御され、さらに媒体排出禁止情報が記録された媒体が装置内部にあるという情報が装置内部の不揮発性記憶手段に記憶されることにより、装置の電源投入直後の媒体に排出禁止情報が記録されているかどうかが判明するまでの間も媒体の排出が禁止される。よって、装置の電源投入直後、電源遮断後も排出禁止状態が解除されることがなく装置に挿入される媒体毎に使用者による媒体排出の可否を決定することができる。
【００４２】
また請求項１８に記載の発明は、請求項１７に記載の発明であって、装置外部よりの媒体排出禁止解除命令を受信すると、前記不揮発性記憶手段の媒体排出禁止フラグをクリアするステップを有することを特徴とするものである。
【００４３】
上記方法によれば、媒体排出禁止解除命令を受け取ると不揮発性記憶手段に記憶した情報をクリアし、次に媒体が装置に挿入され、予め定めた媒体上の領域に媒体排出禁止情報が記録されていることが検出されるまでの間は媒体排出禁止が解除される。
【００４４】
また請求項１９に記載の発明は、請求項１８に記載の発明であって、前記媒体排出禁止情報は媒体排出禁止解除コードを含み、前記媒体排出禁止解除命令は前記媒体排出禁止解除コードまたは前記媒体排出禁止解除コードを特定の規則で変換したデータを含むか否かを判断し、含むと判断したとき前記媒体排出禁止解除命令を有効な命令として受け付けるステップを有することを特徴とするものである。
【００４５】
上記方法によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受け取ったときのみに不揮発性記憶手段に記憶した情報がクリアされ、次に媒体排出禁止装置に挿入されるまでの間は媒体排出禁止が解除される。
【００４６】
また請求項２０に記載の発明は、請求項１３または請求項１４または請求項１７のいずれか１項に記載の発明であって、前記リムーバブル媒体ロード／イジェクト機構は、装置の電源遮断時に媒体を強制排出ことを可能とする強制排出機構と、前記強制排出機構を動作不能状態と動作可能状態を機構的に切り替える強制排出機構切り替え手段を備えており、
前記スイッチ手段の状態変化または装置外部からの命令による媒体排出を行わないステップとして、前記強制排出機構切り替え手段を制御して前記強制排出機構を動作不能状態とするステップを実行し、前記スイッチ手段の状態変化または装置外部からの命令による媒体排出を行うよう前記リムーバブル媒体ロード／イジェクト機構を動作させるステップとして、前記強制排出機構切り替え手段を制御して前記強制排出機構を動作可能状態とするステップを実行することを特徴とするものである。
【００４７】
上記方法によれば、リムーバブル媒体の予め定めた領域に記録された媒体排出禁止情報を用いてリムーバブル媒体の排出禁止が強制排出機構の動作も含めて制御される。よって、装置の電源遮断後も排出禁止状態が解除されることがなく装置に挿入される媒体毎に使用者による媒体排出の可否を決定することができる。
【００４８】
また請求項２１に記載の発明は、装置外部または内部に設けられたスイッチ手段の状態変化または装置外部からの命令により動作してリムーバブル媒体を装置内部に移送して再生可能に載置または、装置外部に移送して排出するリムーバブル媒体ロード／イジェクト機構と、前記リムーバブル媒体のデータの読み出しまたは記録、および読み出したデータの処理を行う制御手段と、前記制御手段の動作を使用者が任意に制御する為の入力手段と、を備える情報処理装置の媒体排出制御方法であって、
前記リムーバブル媒体上の予め定めた領域に媒体排出禁止情報が記録されているか否かを判断するステップと、前記媒体排出禁止情報が記録されていると判断すると、前記スイッチ手段の状態変化または前記入力手段からの命令による媒体排出を行わないステップと、前記媒体排出禁止情報が記録されていないと判断すると、前記スイッチ手段の状態変化または前記入力手段からの命令による媒体排出を行うよう前記リムーバブル媒体ロード／イジェクト機構を動作させるステップとを有することを特徴とするものである。
【００４９】
上記方法によれば、リムーバブル媒体の予め定めた領域に記録された媒体排出禁止情報を用いてリムーバブル媒体の排出禁止が制御される。よって、装置の電源遮断後も排出禁止状態が解除されることがなく装置に挿入される媒体毎に使用者による媒体排出の可否を決定することができる。
【００５０】
また請求項２２に記載の発明は、装置外部または内部に設けられたスイッチ手段の状態変化または装置外部からの命令により動作してリムーバブル媒体を装置内部に移送して再生可能に載置または、装置外部に移送して排出するリムーバブル媒体ロード／イジェクト機構と、前記リムーバブル媒体のデータの読み出しまたは記録、および読み出したデータの処理を行う制御手段と、前記制御手段の動作を使用者が任意に制御する為の入力手段と、を備える情報処理装置の媒体排出制御方法において、
前記リムーバブル媒体が装置内部に有るか否かを検出していると判断したとき、または前記リムーバブル媒体上の予め定めた領域に媒体排出禁止情報が記録されているか否かを検出していると判断したとき、または前記媒体排出禁止情報が記録されていると判断したとき、前記スイッチ手段の状態変化または装置外部からの命令による媒体排出を行わないステップと、前記リムーバブル媒体が装置内部に有ると判断し、かつこのリムーバブル媒体に前記媒体排出禁止情報が記録されていないと判断したとき、前記スイッチ手段の状態変化または装置外部からの命令による媒体排出を行うよう前記リムーバブル媒体ロード／イジェクト機構を動作させるステップとを有することを特徴とするものである。
【００５１】
上記方法によれば、リムーバブル媒体の予め定めた領域に記録された媒体排出禁止情報を用いてリムーバブル媒体の排出禁止が制御され、リムーバブル媒体が装置内部に有るかどうかを検出中、またはリムーバブル媒体の媒体排出禁止情報が記録されているかどうかを読み取るまでの間、媒体の排出が禁止される。よって、装置の電源投入直後に媒体が排出されてしまうことが防止され、装置の電源遮断後も排出禁止状態が解除されることがなく装置に挿入される媒体毎に使用者による媒体排出の可否を決定することができる。
【００５２】
また請求項２３に記載の発明は、請求項２１または請求項２２に記載の発明であって、前記入力手段の特定の操作により媒体排出禁止を解除するステップと、前記媒体排出禁止を解除してから再度、前記リムーバブル媒体が装置に挿入された際に予め定めた媒体上の領域に媒体排出禁止情報が記録されていることを検出するまでの間は、すべての前記スイッチ手段の状態変化または装置外部からの命令による媒体排出をおこなうステップを有することを特徴とするものである。
【００５３】
上記方法によれば、入力手段の特定の操作により媒体排出禁止解除命令を受け取ると、次に媒体が装置に挿入され、予め定めた媒体上の領域に媒体排出禁止情報が記録されていることが検出されるまでの間は媒体排出禁止が解除される。
【００５４】
また請求項２４に記載の発明は、請求項２３に記載の発明であって、前記媒体排出禁止情報は媒体排出禁止解除コードを含み、前記入力手段の操作により、媒体排出禁止解除命令として、前記媒体排出禁止解除コードまたは前記媒体排出禁止解除コードを特定の規則で変換したデータを含む入力が行われたとき、前記媒体排出禁止解除命令を有効な命令として受け付けるステップを有することを特徴とするものである。
【００５５】
上記方法によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受け取ったときのみに、次に媒体が装置に挿入され、予め定めた媒体上の領域に媒体排出禁止情報が記録されていることが検出されるまでの間は媒体排出禁止が解除される。
【００５６】
また請求項２５に記載の発明は、請求項２１または請求項２２に記載の発明であって、前記入力手段の操作により前記記録可能なリムーバブル媒体の予め定めた領域に媒体排出禁止情報を記録するステップを有することを特徴とするものである。
【００５７】
上記方法によれば、入力手段の操作によりリムーバブル媒体の予め定めた領域に媒体排出禁止情報を記録することにより、この媒体排出禁止情報によってリムーバブル媒体の排出禁止を制御することが可能となる。
【００５８】
また請求項２６に記載の発明は、請求項２１または請求項２２に記載の発明であって、前記入力手段の操作により入力された文字列、または入力された文字列を特定の規則で変換した媒体排出禁止解除コードを生成するステップと、前記生成された媒体排出禁止解除コードを含む媒体排出禁止情報を前記記録可能なリムーバブル媒体の予め定めた領域に記録するステップと、前記入力手段の操作により媒体排出禁止状態を解除するとき、前記媒体排出禁止解除コードまたは前記媒体排出禁止解除コードを特定の規則で変換したデータを含む入力が行われた場合、前記媒体排出禁止を解除するステップと、前記媒体排出禁止を解除してから、再度前記リムーバブル媒体が装置に挿入された際に予め定めた媒体上の領域に媒体排出禁止情報が記録されていることを検出するまでの間はすべての前記スイッチ手段の状態変化または前記入力手段からの命令による媒体排出をおこなうステップを有することを特徴とするものである。
【００５９】
上記方法によれば、入力手段の操作により生成された媒体排出禁止解除コードを含む媒体排出禁止情報が記録可能なリムーバブル媒体の予め定めた領域に記録され、前記媒体排出禁止解除コードを含む媒体排出禁止解除命令を受け取ったときのみ、次に媒体が装置に挿入され、予め定めた媒体上の領域に媒体排出禁止情報が記録されていることが検出されるまでの間は媒体排出禁止が解除される。
【００６０】
また請求項２７に記載の発明は、請求項２１または請求項２２に記載の発明であって、前記リムーバブル媒体にデータを記録するとき、強制的にリムーバブル媒体の予め定めた領域に媒体排出禁止情報を記録するステップと、記録完了後に媒体排出禁止状態とするステップを有することを特徴とするものである。
【００６１】
上記方法によれば、リムーバブル媒体にデータを記録する際に強制的に媒体排出禁止情報が記録されることにより、情報処理装置内部からの外部へのリムーバブル媒体によるデータの持ち出しが制限される。
【００６２】
また請求項２８に記載の発明は、装置外部または内部に設けられたスイッチ手段の状態変化、または装置外部からの命令により動作して、リムーバブル媒体を装置内部に移送して再生可能に載置または、装置外部に移送して排出するリムーバブル媒体ロード／イジェクト機構と、不揮発性記憶手段と、前記リムーバブル媒体のデータの読み出しまたは記録、および読み出したデータの実行を行う制御手段と、前記制御手段の動作を使用者が任意に制御する為の入力手段とを備える情報処理装置の媒体排出制御方法であって、
前記リムーバブル媒体上の予め定めた領域に媒体排出禁止情報が記録されているか否かを判断するステップと、媒体排出禁止情報が記録されていると判断すると、前記不揮発性記憶手段に媒体排出禁止フラグを記録するステップと、前記不揮発性記憶手段に媒体排出禁止フラグが記録されているか否かを判断するとステップと、前記不揮発性記憶手段に媒体排出禁止フラグが記録されていると判断すると、前記スイッチ手段の状態変化または前記入力手段からの命令による媒体排出を行わないステップと、前記不揮発性記憶手段に媒体排出禁止フラグが記録されていないと判断すると、前記スイッチ手段の状態変化または前記入力手段からの命令による媒体排出を行う様前記リムーバブル媒体ロード／イジェクト機構を動作させるステップを有することを特徴とするものである。
【００６３】
上記方法によれば、リムーバブル媒体の予め定めた領域に記録された媒体排出禁止情報を用いてリムーバブル媒体の排出禁止が制御され、さらに媒体排出禁止情報が記録された媒体が装置内部にあるという情報が装置内部の不揮発性記憶手段に記憶されることにより、装置の電源投入直後の媒体に排出禁止情報が記録されているかどうかが判明するまでの間も媒体の排出が禁止される。よって、装置の電源遮断後も排出禁止状態が解除されることがなく装置に挿入される媒体毎に使用者による媒体排出の可否を決定することができる。
【００６４】
また請求項２９に記載の発明は、請求項２８に記載の発明であって、前記入力手段の特定の操作により媒体排出禁止を解除するステップと、前記媒体排出禁止が解除されると、前記不揮発性記憶手段の媒体排出禁止フラグをクリアするステップを有することを特徴とするものである。
【００６５】
上記方法によれば、入力手段の特定の操作により媒体排出禁止解除命令を受け取ると不揮発性記憶手段に記憶した情報がクリアされることにより、次に媒体が装置に挿入され、予め定めた媒体上の領域に媒体排出禁止情報が記録されていることが検出されるまでの間は媒体排出禁止が解除される。
【００６６】
また請求項３０に記載の発明は、請求項２９に記載の発明であって、前記媒体排出禁止情報は媒体排出禁止解除コードを含み、前記入力手段の操作により、媒体排出禁止解除命令として、前記媒体排出禁止解除コードまたは前記媒体排出禁止解除コードを特定の規則で変換したデータを含む入力が行われたとき、前記媒体排出禁止解除命令を有効な命令として受け付けるステップを有することを特徴とするものである。
【００６７】
上記方法によれば、リムーバブル媒体に記録された媒体排出禁止情報に含まれる媒体排出禁止解除コードまたは前記媒体排出禁止解除コードを特定の規則で変換したデータを含む媒体排出禁止解除命令を受け取ったときのみに不揮発性記憶手段に記憶した情報がクリアされ、次に媒体が装置に挿入され、予め定めた媒体上の領域に媒体排出禁止情報が記録されていることが検出されるまでの間は媒体排出禁止が解除される。
【００６８】
また請求項３１に記載の発明は、請求項２８に記載の発明であって、前記入力手段の操作により前記記録可能なリムーバブル媒体の予め定めた領域に媒体排出禁止情報を記録し、前記不揮発性記憶手段に媒体排出フラグを記録するステップを有することを特徴とするものである。
【００６９】
上記方法によれば、リムーバブル媒体の予め定めた領域に媒体排出禁止情報が記録されることによりリムーバブル媒体の排出禁止が制御され、さらに媒体排出禁止情報を記録した、または記録された媒体が装置内部にあるという情報が装置内部の不揮発性記憶手段に記憶されることにより、装置の電源投入直後の媒体に排出禁止情報が記録されているかどうかが判明するまでの間も媒体の排出が禁止される。
【００７０】
また請求項３２に記載の発明は、請求項２８に記載の発明であって、前記入力手段の操作により入力された文字列、または入力された文字列を特定の規則で変換した媒体排出禁止解除コードを生成するステップと、前記生成された媒体排出禁止解除コードを含む媒体排出禁止情報を前記記録可能なリムーバブル媒体の予め定めた領域に記録し、前記不揮発性記憶手段に媒体排出禁止フラグを記録するステップと、前記入力手段の操作により媒体排出禁止解除命令として、前記媒体排出禁止解除コードまたは前記媒体排出禁止解除コードを特定の規則で変換したデータを含む入力が行われた否かを判断するステップと、前記媒体排出禁止解除コードまたは前記媒体排出禁止解除コードを特定の規則で変換したデータを含む入力が行われたと判断すると、前記不揮発性記憶手段の媒体排出禁止フラグをクリアするステップを有することを特徴とするものである。
【００７１】
上記方法によれば、リムーバブル媒体の予め定めた領域に媒体排出禁止情報が記録され、さらに媒体排出禁止情報が記録された媒体が装置内部にあるという情報が装置内部の不揮発性記憶手段に記憶され、装置の電源投入直後の媒体に排出禁止情報が記録されているかどうかが判明するまでの間も媒体の排出が禁止される。またリムーバブル媒体に記録された媒体排出禁止情報に含まれる媒体排出禁止解除コードまたは前記媒体排出禁止解除コードを特定の規則で変換したデータを含む媒体排出禁止解除命令を受け取ったときのみに前記不揮発性記憶手段に記憶した情報をクリアして、次に媒体が装置に挿入され、予め定めた媒体上の領域に媒体排出禁止情報が記録されていることが検出されるまでの間は媒体排出禁止が解除される。
【００７２】
また請求項３３に記載の発明は、請求項２８に記載の発明であって、前記リムーバブル媒体にデータを記録するとき、強制的にリムーバブル媒体の予め定めた領域に媒体排出禁止情報を記録するステップと、記録完了後に媒体排出禁止状態とするステップを有することを特徴とするものである。
【００７３】
上記方法によれば、リムーバブル媒体にデータを記録する際に強制的に媒体排出禁止情報が記録されることにより、情報処理装置内部からの外部へのリムーバブル媒体によるデータの持ち出しが制限される。
【００７４】
また請求項３４に記載の発明は、請求項２１または請求項２２または請求項２８のいずれか１項に記載の発明であって、前記リムーバブル媒体ロード／イジェクト機構は、装置の電源遮断時に媒体を強制排出することを可能とする強制排出機構と、前記強制排出機構を動作不能状態と動作可能状態を機構的に切り替える強制排出機構切り替え手段とを備えており、
前記スイッチ手段の状態変化または前記入力手段からの命令による媒体排出を行わないステップとして、前記強制排出機構切り替え手段を制御して強制排出機構を動作不能状態とするステップを実行し、前記スイッチ手段の状態変化または前記入力手段からの命令による媒体排出を行う様前記リムーバブル媒体ロード／イジェクト機構を動作させるステップとして、前記強制排出機構切り替え手段を制御して強制排出機構を動作可能状態とするステップを実行することを特徴とするものである。
【００７５】
上記方法によれば、リムーバブル媒体の予め定めた領域に記録された媒体排出禁止情報を用いてリムーバブル媒体の排出禁止が、強制排出機構の動作も含めて制御される。よって装置の電源遮断後も排出禁止状態が解除されることがなく装置に挿入される媒体毎に使用者による媒体排出の可否を決定することができる。
【発明の効果】
【００７６】
本発明のリムーバブル媒体記録再生装置は、上記構成を有し、リムーバブル媒体の予め定めた領域に記録された媒体排出禁止情報を用いてリムーバブル媒体の排出禁止を制御することにより、装置の電源遮断後も排出禁止状態が解除されることがなく装置に挿入される媒体毎に使用者による媒体排出の可否を決定することができる。
【発明を実施するための最良の形態】
【００７７】
以下、本発明の実施の形態を、図面を参照しながら説明する。
［実施の形態１］
以下、本発明の請求項１〜５及び請求項１３〜１６及び請求項２１〜２７について記載した実施の形態１について図１〜図４を用いて説明する。
【００７８】
図１は本発明の実施の形態１におけるＣＤ−Ｒ／ＲＷ記録再生装置（リムーバブル媒体記録再生装置の一例）とホストコンピュータで構成された情報処理装置のブロック図、図２は本発明の媒体認識処理、及び媒体排出処理の流れを示すフローチャート、図３は本発明の媒体排出禁止解除処理の流れを示すフローチャート、図４は本発明のリムーバブル媒体に媒体排出禁止情報を記録する媒体排出禁止情報記録処理の流れを示すフローチャートである。
【００７９】
図１において、１０１はリムーバブル媒体（本実施の形態では、ＣＤ−ＲＯＭ／Ｒ／ＲＷディスク；以下、媒体と略す）であり、予め定められた領域に媒体排出禁止情報が記録されているものと、いないものが存在する。１０２は、媒体１０１を載置して再生可能位置まで搬送、また排出動作を行う媒体搬送手段であり、本実施の形態では媒体１０１を載置して再生可能位置まで搬送、排出動作を行うことができるトレーである場合を例に説明する。１０３は媒体搬送手段１０２を駆動して媒体１０１をロード／イジェクト動作させるロード／イジェクト駆動部であり、たとえばモーター、ギア、ベルト、ソレノイドなどの組み合わせにより媒体搬送手段１０２を駆動して媒体１０１をロード／イジェクト動作させる。またこのロード／イジェクト駆動部１０３は、装置の電源が投入されたとき（電源遮断後の電源再投入を含む）、装置１０９がリセットされたとき、また媒体搬送手段１０２を駆動して再生可能位置まで戻ったときに、トレー上の媒体１０１の有無（装置内部における媒体１０１の有無）を検出するように構成されており、媒体１０１の有無の検出中には、媒体有無検出中信号を制御手段１０６へ出力し、また有無の検出結果の情報（媒体検出情報）を制御手段１０６へ出力する。前記媒体搬送手段１０２とロード／イジェクト駆動部１０３により、装置外部または内部に設けられたスイッチ手段（後述する）の状態変化、または装置外部からの命令により動作して、媒体１０１を装置内部に移送して再生可能に載置または装置外部に移送して排出するロード／イジェクト機構が構成され、ロード／イジェクト駆動部１０３によりリムーバブル媒体検出手段が構成されている。なお、リムーバブル媒体ロード／イジェクト機構は、装置の電源遮断時に媒体１０１を強制排出できない構成としている。
【００８０】
また１０４は装置外部に設けられたスイッチ手段、１０５は媒体搬送手段１０２が装置外部から押されたことを検出する装置内部に設けられたスイッチ手段であり、これらのスイッチ手段の論理の組み合わせによりロード／イジェクト動作を制御することができる。また１０６は制御手段で、スイッチ手段１０４，１０５の状態変化またはインターフェイス手段１０７を介してホストコンピュータ１０８から送られてくる装置外部からの命令によりロード／イジェクト機構を制御してリムーバブル媒体１０１のロード／イジェクトや、リムーバブル媒体１０１の再生／記録制御などを行う、たとえばＣＰＵなどの処理装置である。
【００８１】
また１１０は、リムーバブル媒体１０１が媒体搬送手段１０２により再生可能位置まで搬送された際に（ロードイジェクト機構により装置に挿入された際に）予め定めたリムーバブル媒体１０１上の領域に媒体排出禁止情報が記録されているか否かを検出する媒体排出禁止情報検出手段であり、この媒体排出禁止情報検出手段１１０により検出された情報は制御手段１０６へ出力される。前記媒体排出禁止情報の記録方法としては、たとえばＣＤ−ＲＯＭ／Ｒ／ＲＷディスクでは本体のデータ記録容量が減少しないようにサブコード情報の特定のチャンネル（予め設定された領域の一例）に記録する方法、ＴＯＣデータの一部に記録する方法があり、また非ディスク媒体では記録領域の一部の予め定めたアドレス部分を利用記録しておく方法があり、また他のディスク媒体、非ディスク媒体では媒体自体に埋め込まれたチップに情報を記録する方法がある。媒体排出禁止情報は無線やその他の手段で情報を読み取る方法が考えられる。
【００８２】
また１０９はリムーバブル媒体記録再生装置（ＣＤ−Ｒ／ＲＷ記録再生装置）全体を示している。
また７０１はホストコンピュータ１０８の第２制御手段、７０２はホストコンピュータ１０８の入力手段であり、第２制御手段７０１は、たとえばＣＰＵなどの中央処理装置であり、入力手段７０２からの入力に従って様々な処理を実行したり、リムーバブル媒体記録再生装置１０９に命令を送ってリムーバブル媒体１０１からのデータを読み出し様々な処理を行ったり、データを記録したりといった動作を行う。
「媒体認識処理と媒体排出処理」
上記制御手段１０６による媒体認識処理動作と媒体排出処理を、実際の動作とともに図２を用いて説明する。
【００８３】
まず、最初に媒体１０１がリムーバブル媒体記録再生装置１０９に装填されたときの媒体認識処理の動作について説明する｛図２（ａ）参照｝。
ステップ−Ｓ２０１
まず、制御手段１０６は、装置外部に設けられたスイッチ手段１０４の押下、または媒体搬送手段１０２が装置外部から押されたことを検出する装置内部に設けられたスイッチ手段１０５の状態変化により、またはホストコンピュータ１０８の入力手段７０２の操作に応じて第２制御手段７０１よりインターフェイス手段１０７を介して送られてくる媒体ロード命令により、ロード／イジェクト駆動部１０３を制御して媒体搬送手段１０２を駆動し、媒体搬送手段１０２に載置されたリムーバブル媒体１０１を装置内部に搬送し、再生可能位置に装填させる。
【００８４】
このときロード／イジェクト駆動部１０３より、媒体１０１の有無が検出され、検出中は媒体（有無）検出中信号が制御手段１０６へ出力され、また有無の検出結果の信号（媒体検出情報）が制御手段１０６へ出力される。
ステップ−Ｓ２０２
続いて制御手段１０６は、媒体排出禁止情報検出手段１１０を駆動して、再生可能位置に装填されたリムーバブル媒体１０１に媒体排出禁止情報が記録されているか否かを検出させ、その検出信号により媒体１０１に媒体排出禁止情報が記録されているか否かを判断する。
ステップ−Ｓ２０３
次に制御手段１０６は、ステップ−Ｓ２０２にて媒体排出禁止情報が記録されていると判断すると、媒体排出禁止フラグを立てて、媒体認識処理を終了する。またステップ−Ｓ２０２にて、媒体排出禁止情報が記録されていないと判断したときはそのまま媒体認識処理を終了する。
【００８５】
次に、媒体排出処理の流れについて説明する｛図２（ｂ）参照｝。
ステップ−Ｓ２１１
まず、制御手段１０６は、装置外部に設けられたスイッチ手段１０４の押下、またはホストコンピュータ１０８の入力手段７０２の操作に応じて第２制御手段７０１よりインターフェイス手段１０７を介して送られてくる媒体イジェクト命令を媒体排出命令のトリガとして媒体排出処理を開始する。
ステップ−Ｓ２１２
次に制御手段１０６は、ロード／イジェクト駆動部１０３より媒体（有無）検出中信号を入力しているかどうか、または上記ステップ−Ｓ２０２，Ｓ２０３を実行中かどうか（先ほど説明した媒体認識の処理中であるかどうか）を判断する。
ステップ−Ｓ２１３
制御手段１０６は、上記ステップ−Ｓ２１２において、媒体（有無）検出中信号または媒体認識処理中と判断すると、ループ処理で媒体認識処理が終了するまで待機し、媒体排出処理を実行しない。これは、装置の電源が投入された直後、媒体１０１の有無を検出している間または媒体排出禁止情報が記録されているか否かを検出するまでの間に、媒体排出命令を受け取り、媒体排出禁止情報が記録された媒体を排出してしまうことを防ぐための処理である。従って、媒体（有無）検出中または媒体認識処理中であった場合に、媒体認識処理終了まで待つ方法以外に、媒体排出命令そのものをキャンセルして処理を終了する方法でも同様に実施可能である。
ステップ−Ｓ２１４
上記ステップ−Ｓ２１２において、制御手段１０６は、媒体（有無）検出中ではなく、媒体認識処理中ではないと判断すると、媒体排出禁止フラグが立っているかどうかを判断する。
ステップ−Ｓ２１５
ステップ−Ｓ２１４において、制御手段１０６は、媒体排出禁止フラグが立っていると判断すると、媒体排出命令をキャンセルし、媒体排出を実行せずに終了する。
ステップ−Ｓ２１６
またステップ−Ｓ２１４において、制御手段１０６は、媒体排出禁止フラグが立っていないと判断すると、すなわち媒体排出禁止情報が記録されていない媒体である場合に、ロード／イジェクト駆動部１０３を制御して媒体搬送手段１０２を駆動し、媒体搬送手段１０２に載置された媒体１０１を排出する処理を行い、終了する。
【００８６】
なお、上記媒体認識処理は、装置の電源が投入されたとき（電源遮断後の電源再投入を含む）と、装置１０９がリセットされたときにも実行される。
「媒体排出禁止解除処理」
制御手段１０６により、媒体排出禁止情報を解除する動作について、図３を用いて説明する。媒体排出禁止の解除は、入力手段７０２の特定の操作に応じて通常ホストコンピュータ１０８の第２制御手段７０１より、媒体排出禁止解除命令がリムーバブル媒体記録再生装置１０９に送信されることで行われる。媒体排出禁止解除命令は、たとえば命令本体と、媒体排出禁止解除コード（あるいは媒体排出禁止解除コードを特定の規則で変換したデータ）がセットとなっており、媒体排出禁止解除コードが媒体１０１に記憶された、あるいはリムーバブル媒体記録再生装置１０９が確認した（あるいは有する）コードと一致したときのみ初めて媒体排出禁止解除命令として認識される。媒体排出禁止解除コードは、たとえばリムーバブル媒体記録再生装置１０９内の不揮発性記憶手段（図示せず）に装置固有の情報としてあらかじめ記憶され、あるいは媒体１０１の媒体排出禁止情報の一部として記憶される。また、媒体排出禁止解除コードはセキュリティの観点から暗号化やインターリーブ記録などにより容易に読み出すことができない形で記録しておくことが望ましい。第２制御手段７０１は入力手段７０２の入力信号により媒体排出禁止解除命令をリムーバブル媒体記録再生装置１０９へ送信する。
ステップ−Ｓ６００
制御手段１０６は、上記通常ホストコンピュータ１０８よりインターフェイス回路１０７を介して有効な媒体排出禁止解除命令を受信すると、媒体排出禁止解除コードを含む場合、媒体排出禁止解除コードがリムーバブル媒体記録再生装置１０９の持つコードと一致したとき、媒体排出禁止解除命令として認識する（有効な命令として受け付ける）。
ステップ−Ｓ６０１
次に、制御手段１０６は、装置が媒体排出禁止状態にあるかどうかの判断を行う。
ステップ−Ｓ６０２
装置が媒体排出禁止状態にあると判断すると、上記媒体排出禁止フラグを解除する媒体排出禁止解除処理を行い、処理を終了する。
【００８７】
このように、制御手段１０６は、ホストコンピュータ１０８よりインターフェイス手段１０７を介して送られてくる媒体排出禁止解除命令を受け取ると、媒体排出禁止解除コードを確認し、媒体排出禁止フラグをオフとして、媒体排出禁止解除処理を実行する。そして、制御手段１０６は、装置外部よりの媒体排出禁止解除命令を受信してから再度、媒体排出禁止情報検出手段１１０により媒体１０１が装置に挿入された際に予め定めた媒体上の領域に媒体排出禁止情報が記録されていることを検出するまでの間は、すべてのスイッチ手段１０４，１０５の状態変化または装置外部からの命令などの次の媒体排出命令によりリムーバブル媒体１０１を排出する。
【００８８】
なお、媒体排出禁止解除状態は媒体１０１が一旦排出されるか、装置に電源が供給されている間、あるいは装置がリセットされるまでの間だけ有効で、一旦媒体１０１が排出されたり、電源遮断後の電源再投入、装置のリセットなどにより媒体認識動作を行った際に媒体排出禁止情報が媒体に記憶されていることを検出すると再び装置は媒体排出禁止状態となる。
「媒体排出禁止情報記録処理」
次に第２制御手段７０１による、媒体１０１に媒体排出禁止情報を記録する場合の動作について、媒体１０１に何らかのデータを記録する際に同時に記録する方法を例にとって図４を用いて説明する。
【００８９】
なお、ホストコンピュータ１０８上で実行する記録制御ソフトウエアにおいて、媒体１０１に何らかのデータを記録する際に選択肢として媒体排出禁止情報を記録するオプションを、入力手段７０２による選択により実行可能としておく。媒体排出禁止情報を記録するオプションを選択すると、媒体排出禁止コードを入力することが可能になり、入力手段７０２により媒体排出禁止コードを入力することで、媒体排出禁止コードが確定する。媒体排出禁止コードは、使用者が入力手段７０２により直接入力する他に、記録制御ソフトウエアで自動的に生成することも可能である。この場合は、生成した媒体排出禁止コードをホストコンピュータ１０８の表示手段（図示せず）に表示することで使用者は必要なときに媒体排出禁止状態を解除する方法を得ることができる。
ステップ−Ｓ８０１
まず、第２制御手段７０１は、記録を開始する際に、媒体排出禁止情報を記録するオプションが選択されているか否かを判断する。
ステップ−Ｓ８０２
第２制御手段７０１は、媒体排出禁止情報を記録するオプションが選択されていると判断すると、入力手段７０２または記録制御ソフトウエアより媒体排出禁止コードを取得する。
ステップ−Ｓ８０３
続いて第２制御手段７０１は、取得した媒体排出禁止コードを特定の規則に従って暗号化する。もちろん、媒体排出禁止コードを容易に読み取ることができないように記録する場合や、それほどのセキュリティを必要としない場合には媒体排出禁止コードを暗号化しなくてもよい。
ステップ−Ｓ８０４
続いて第２制御手段７０１は、データの記録を開始し、たとえばＣＤ−Ｒ／ＲＷ記録再生装置の記録時にサブコード情報内に媒体排出禁止情報及び媒体排出禁止コードを埋め込む場合は、記録したいデータとともにエンコードを行いながら、媒体１０１の予め定められた領域に記録を行う。
ステップ−Ｓ８０５
上記ステップ−Ｓ８０１において、媒体排出禁止情報を記録するオプションが選択されていないと判断すると、通常の記録処理を行う。
ステップ−Ｓ８０６
第２制御手段７０１は、ステップ−Ｓ８０４またはステップ−Ｓ８０５の記録動作が終了すると、通常は、一旦媒体１０１を装置外部に排出して記録処理を終了する。
【００９０】
このように、媒体１０１に何らかのデータを記録する際に、選択肢として媒体排出禁止情報が記録され、一旦媒体１０１が装置外部に排出され、再度リムーバブル媒体記録再生装置１０９内に装填されると媒体排出禁止状態となる。
【００９１】
なお、媒体１０１に媒体排出禁止情報が記録されるときに、前記媒体排出禁止解除コードを媒体１０１の媒体排出禁止情報の一部として記憶しておくことができる。このとき、第２制御手段７０１により、入力手段７０２の操作により入力された文字列、または入力された文字列を特定の規則で変換した媒体排出禁止解除コードを生成するステップと、前記生成された媒体排出禁止解除コードを含む媒体排出禁止情報を記録可能な媒体１０１の予め定めた領域に記録するステップが実行され、入力手段７０２の操作により媒体排出禁止状態を解除するとき、前記媒体排出禁止解除コード（または前記媒体排出禁止解除コードを特定の規則で変換したデータ）の入力が行われた場合、上記媒体排出禁止解除処理にて媒体排出禁止を解除するステップが実行される。
【００９２】
以上のように本発明の実施の形態１によれば、媒体１０１の予め定めた領域に記録された媒体排出禁止情報を用いて媒体１０１の排出禁止を制御し、媒体１０１の有無を検出している間、または装置の電源投入直後の媒体に排出禁止情報が記録されているかどうかが判明するまでは媒体１０１の排出は禁止されることにより、装置の電源投入直後に媒体１０１が排出されてしまうことを防止でき、装置の電源遮断後も排出禁止状態が解除されることがなく装置に挿入される媒体毎に使用者による媒体排出の可否を決定することができるリムーバブル媒体記録再生装置及びリムーバブル媒体記録再生装置の媒体排出制御方法及び情報処理装置のリムーバブル媒体排出制御方法を提供することができる。
【００９３】
また本実施の形態１によれば、リムーバブル媒体記録再生装置の１０９のリムーバブル媒体ロード／イジェクト機構を、装置の電源遮断時または装置のリセット時に媒体１０１を強制排出できない構成とすることにより、電源遮断時に強制排出機構を用いて媒体１０１が強制排出されることを防止でき、媒体排出禁止を設定したもの以外が媒体排出禁止を解除することが困難なリムーバブル媒体記録再生装置及びリムーバブル媒体記録再生装置の媒体排出制御方法及び情報処理装置のリムーバブル媒体排出制御方法を提供することができる。
【００９４】
また本実施の形態１によれば、媒体１０１の予め定めた領域に記録した媒体排出禁止情報に含まれる媒体排出禁止解除コードを含む媒体排出禁止解除命令を受け取ったときのみに、媒体１０１が装置に挿入され、予め定めた媒体上の領域に媒体排出禁止情報が記録されていることが検出されるまでの間は媒体排出禁止が解除されることにより、装置の電源遮断後も排出禁止状態が解除されることがなく、媒体毎に使用者による媒体排出の可否を決定することができ、媒体排出禁止を設定したもの以外が媒体排出禁止を解除することが困難なリムーバブル媒体記録再生装置及びリムーバブル媒体記録再生装置の媒体排出制御方法及び情報処理装置のリムーバブル媒体排出制御方法を提供することができる。
【００９５】
なお、本実施の形態１では、ＣＤ−Ｒ／ＲＷ記録再生装置においてデータと一緒に媒体排出禁止情報及び媒体排出禁止コードをサブコード情報に埋め込んで一緒に記録する場合を例に説明したが、この他にもＣＤ−Ｒ／ＲＷのＴＯＣ情報の一部に記録する方法や、他の媒体で専用領域を設けて記録する方法、通常のデータを記録する領域以外のたとえば、ＩＣチップなどを搭載した媒体の不揮発性メモリ領域に記録する方法など、媒体上の読み取り可能な領域に記録する方法であれば同様に実施可能である。
【００９６】
また本実施の形態１では、記録動作終了後に一旦媒体１０１を装置外部に排出する場合を例に説明したが、排出しない場合でも同様に実施可能である。この場合は、一旦媒体を排出するまでは、媒体排出禁止を有効としない方法と、媒体排出禁止情報を記録し終わった時点で媒体排出禁止フラグを立てて、排出禁止とするどちらの方法でも同様に実施可能である。
［実施の形態２］
以下に、本発明の請求項６〜９及び請求項１７〜１９及び請求項２８〜３３に記載した発明の実施の形態２について図３〜図６を用いて説明する。なお、上記実施の形態１の構成と同一の構成には同一の符号を付して説明を省略する。また媒体排出禁止解除処理（図３）及び媒体排出禁止情報記録処理（図４）の流れについては実施の形態１と同一であるので説明を省略する。
【００９７】
図５は本発明をＣＤ−Ｒ／ＲＷ記録再生装置とホストコンピュータで構成された情報処理装置に適用した場合のブロック図、図６は本発明の媒体認識処理、及び媒体排出処理の流れを示すフローチャートである。
【００９８】
図５に示すように、不揮発性記憶手段３０１が新たにリムーバブル媒体記録再生装置１０９内に設けられている。この不揮発性記憶手段３０１には、たとえば制御手段１０６の制御プログラムや種々のデータが格納されると共に、媒体排出禁止フラグを記録するための領域が予め用意されている。
「媒体認識処理と媒体排出処理」
実施の形態２における制御手段１０６による媒体認識処理動作と媒体排出処理を実際の動作とともに図６を用いて説明する｛図６（ａ）参照｝。
【００９９】
まず、最初に媒体１０１がリムーバブル媒体記録再生装置１０９に装填されたときの媒体認識処理の動作について説明する。
ステップ−Ｓ４０１
まず、制御手段１０６は、装置外部に設けられたスイッチ手段１０４の押下、または装置内部に設けられたスイッチ手段１０５の状態変化により、またはホストコンピュータ１０８の入力手段７０２の操作に応じて第２制御手段７０１よりインターフェイス手段１０７を介して送られてくる媒体ロード命令により、ロード／イジェクト駆動部１０３を制御して媒体搬送手段１０２を駆動し、媒体搬送手段１０２に載置された媒体１０１を装置内部に搬送し、再生可能位置に装填させる。
ステップ−Ｓ４０２
続いて制御手段１０６は、媒体排出禁止情報検出手段１１０を駆動して、再生可能位置に装填されたリムーバブル媒体１０１に媒体排出禁止情報が記録されているか否かを検出させ、その検出信号により媒体１０１に媒体排出禁止情報が記録されているか否かを判断する。
ステップ−Ｓ４０３
次に制御手段１０６は、ステップ−Ｓ４０２にて媒体排出禁止情報が記録されていると判断すると、不揮発性記憶手段３０１に媒体排出禁止フラグを記録し、媒体認識処理を終了し、またステップ−Ｓ４０２にて、媒体排出禁止情報が記録されていないと判断したときはそのまま媒体認識処理を終了する。不揮発性記憶手段３０１に記録された媒体排出禁止フラグは、装置の電源を遮断しても保持される。また媒体排出禁止フラグには、リムーバブル媒体１０１が装置内部にあるという情報が含まれる。
【０１００】
次に、媒体排出処理の流れについて説明する。
ステップ−Ｓ４１１
まず、制御手段１０６は、装置外部に設けられたスイッチ手段１０４の押下、またはホストコンピュータ１０８の入力手段７０２の操作に応じて第２制御手段７０１よりインターフェイス手段１０７を介して送られてくる媒体イジェクト命令を媒体排出命令のトリガとして媒体排出処理を開始する。
【０１０１】
次に実施の形態１と同様のステップ−Ｓ１１２、ステップ−Ｓ１１３を実行する。
ステップ−Ｓ４１４
次に制御手段１０６は、媒体（有無）検出中ではなく、媒体認識処理中ではないと判断すると、不揮発性記憶手段３０１に媒体排出禁止フラグが立っているかどうかを判断する。
ステップ−Ｓ４１５
ステップ−Ｓ４１４において、制御手段１０６は、不揮発性記憶手段３０１に媒体排出禁止フラグが立っていると判断すると、すなわち媒体排出禁止情報が記録された媒体１０１である場合には媒体排出命令をキャンセルし、媒体排出を実行せずに終了する。
ステップ−Ｓ４１６
またステップ−Ｓ４１４において、制御手段１０６は、不揮発性記憶手段３０１に媒体排出禁止フラグが立っていないと判断すると、すなわち不揮発性記憶手段３０１に媒体排出禁止情報が記録されていない媒体１０１である場合に、ロード／イジェクト駆動部１０３を制御して媒体搬送手段１０２を駆動し、媒体搬送手段１０２に載置されたリムーバブル媒体１０１媒体を排出する処理を行い、終了する。
【０１０２】
また上記実施の形態１における「媒体排出禁止解除処理」と同様に、制御手段１０６は、ホストコンピュータ１０８の入力手段７０２の操作に応じて第２制御手段７０１よりインターフェイス手段１０７を介して送られてくる媒体排出禁止解除命令を受け取ると、不揮発性記憶手段３０１に記憶した媒体排出禁止フラグをクリアして、媒体排出禁止を解除する。そして、制御手段１０６は、装置外部よりの媒体排出禁止解除命令を受信してから、再度媒体排出禁止情報検出手段１１０により媒体１０１が装置に挿入された際に予め定めた媒体上の領域に媒体排出禁止情報が記録されていることを検出するまでの間は、すべてのスイッチ手段１０４，１０５の状態変化または装置外部からの命令などの次の媒体排出命令によりリムーバブル媒体１０１を排出する。また前記媒体排出禁止情報は媒体排出禁止解除コードを含んでおり、入力手段７０２の特定の操作により入力された媒体排出禁止解除命令が媒体排出禁止解除コードを含む場合、媒体排出禁止解除コードが媒体１０１に記憶された、あるいはリムーバブル媒体記録再生装置１０９の不揮発性記憶手段３０１に記憶されたコードと一致したとき、媒体排出禁止解除命令として認識され（有効な命令として受け付けられ）、媒体排出禁止フラグがクリアされる。
【０１０３】
以上のように本実施の形態２によれば、媒体１０１の予め定めた領域に記録された媒体排出禁止情報を用いて媒体１０１の排出禁止を制御することができ、また媒体１０１の有無を検出している間、または装置の電源投入直後の媒体に排出禁止情報が記録されているかどうかが判明するまでは媒体１０１の排出は禁止されることにより、装置の電源投入直後に媒体１０１が排出されてしまうことを防止でき、さらに媒体排出禁止情報に媒体１０１が装置内部にあるという情報が装置内部の不揮発性記憶手段３０１に記憶され、かつ不揮発性記憶手段３０１に記録された媒体排出禁止フラグは、装置の電源を遮断しても保持されることにより、リムーバブル媒体１０１が装置内部にあるとき、装置の電源投入直後で、媒体認識処理が終了していない状態で媒体排出禁止情報が記録された媒体１０１が排出されてしまうという不具合を解消することができ、よって装置の電源遮断後も排出禁止状態が解除されることがなく装置に挿入される媒体毎に使用者による媒体排出の可否を決定することができるリムーバブル媒体記録再生装置及びリムーバブル媒体記録再生装置のリムーバブル媒体排出制御方法及び情報処理装置のリムーバブル媒体排出制御方法を提供することができる。
【０１０４】
また本実施の形態２によれば、リムーバブル媒体記録再生装置の１０９のリムーバブル媒体ロード／イジェクト機構を、装置の電源遮断時または装置のリセット時に媒体１０１を強制排出できない構成とすることにより、電源遮断時に強制排出機構を用いて媒体１０１が強制排出されることを防止でき、媒体排出禁止を設定したもの以外が媒体排出禁止を解除することが困難なリムーバブル媒体記録再生装置及びリムーバブル媒体記録再生装置の媒体排出制御方法及び情報処理装置のリムーバブル媒体排出制御方法を提供することができる。
【０１０５】
なお、実施の形態２において、第２制御手段７０１において入力手段７０２の操作により媒体１０１の予め定めた領域に媒体排出禁止情報を記録し、不揮発性記憶手段３０１に媒体排出フラグを記録するようにすることもできる。
【０１０６】
また実施の形態２において、第２制御手段７０１において入力手段７０２の操作により入力された文字列、または入力された文字列を特定の規則で変換した媒体排出禁止解除コードを生成し、この生成された媒体排出禁止解除コードを含む媒体排出禁止情報を媒体１０１の予め定めた領域に記録し、不揮発性記憶手段３０１に媒体排出禁止フラグを記録し、また入力手段７０２の操作により、媒体排出禁止解除命令として、媒体排出禁止解除コードまたは前記媒体排出禁止解除コードを特定の規則で変換したデータを含む入力が行われた否かを判断し、媒体排出禁止解除コードまたは前記媒体排出禁止解除コードを特定の規則で変換したデータを含む入力が行われたと判断すると、不揮発性記憶手段３０１の媒体排出禁止フラグをクリアするようにすることもできる。
［実施の形態３］
以下に、本発明の請求項１０〜１２及び請求項２０及び請求項３４に記載した発明の実施の形態について図１、図２及び図７を用いて説明する。なお、上記実施の形態１の構成と同一の構成には同一の符号を付して説明を省略する。
【０１０７】
図７は本発明をＣＤ−Ｒ／ＲＷ記録再生装置に適用した場合の装置の外観図、及び媒体の強制排出機構の動作可能／不能を切り替える機構の例を示す図である。
図７において、５０１はリムーバブル媒体記録再生装置１０９の前面に設けられた強制排出孔で、媒体１０１の強制排出機構（図示せず）を動作させるためのピン５０２を差し込むように設けられており、この強制排出孔５０１にピン５０２を差込むこと（挿入すること）によって、リムーバブル媒体ロード／イジェクト機構に連動した強制排出レバーを押すことで強制排出機構を動作させて装置の電源遮断時や、緊急時にリムーバブル媒体１０１が強制排出される。このように、上記実施の形態１および実施の形態２では、リムーバブル媒体ロード／イジェクト機構は、装置の電源遮断時に媒体１０１を強制排出できない構成としているが、実施の形態３では、電源遮断時に媒体１０１を強制排出可能な構成としている。
【０１０８】
また図７（ｂ）（ｃ）に示すように、リムーバブル媒体記録再生装置１０９の内部に、強制排出孔５０１を開閉するシャッター５０３が設けられている。図７（ｂ）に示す強制排出機構動作可能状態では、シャッター５０３を開状態とし、図７（ｃ）に示す強制排出機構動作不能状態では、ローディング機構と連動するギアや、アームなど（図示せず）との組み合わせによってシャッター５０３を駆動して強制排出孔５０１を塞ぐことにより強制排出機構を動作不能としている。このように、シャッター５０３は、強制排出機構を動作不能状態（シャッター閉状態／ピン挿入不可能状態）と動作可能状態（シャッター開状態／ピン挿入可能状態）を機構的に切り替える強制排出機構切り替え手段である。
【０１０９】
以上のように、リムーバブル媒体ロード／イジェクト機構は、装置の電源遮断時になど媒体を強制排出するための強制排出機構と、前記強制排出機構を動作不能状態と動作可能状態を機構的に切り替える強制排出機構切り替え手段を備えている。
【０１１０】
実施の形態３における制御手段１０６による媒体認識処理動作と媒体排出処理（図２）の流れは、ステップ−Ｓ２０３においてのみ実施の形態１の動作と相違している。
すなわち、ステップ−Ｓ２０３において制御手段１０６は、ステップ−Ｓ２０２にて媒体排出禁止情報が記録されていると判断すると、媒体排出禁止フラグを立てるとともに、シャッター５０３を駆動して強制排出孔５０１を塞ぎ、媒体認識処理を終了する。これにより機構的に前記強制排出機構が動作不可能とされる。
【０１１１】
また、上記実施の形態１における「媒体排出禁止解除処理」と同様に、制御手段１０６は、ホストコンピュータ１０８の入力手段７０２の操作に応じて第２制御手段７０１よりインターフェイス手段１０７を介して送られてくる媒体排出禁止解除命令を受け取ると、媒体排出禁止フラグをオフとして、媒体排出禁止を解除し、さらにシャッター５０３を開状態として強制排出機構を動作可能な状態とし、次の媒体排出命令によりリムーバブル媒体１０１を排出する。またシャッター５０３を開状態として強制排出機構動作可能状態としたことにより、強制排出孔５０１にピン５０２を差し込んで強制排出機構を動作させることができる状態となる。
【０１１２】
以上のように本実施の形態３によれば、リムーバブル媒体１０１の予め定めた領域に記録された媒体排出禁止情報を用いてリムーバブル媒体の排出禁止を制御できるとともに、媒体強制排出機構を備える場合でも媒体強制排出機構の動作可能・不能を切り替えることで、装置の電源遮断後も排出禁止状態が解除されることがなく、媒体毎に使用者による媒体排出の可否を決定することができるリムーバブル媒体記録再生装置及びリムーバブル媒体記録再生装置の媒体排出制御方法及び情報処理装置のリムーバブル媒体排出制御方法を提供することができる。
【０１１３】
なお、本実施の形態３では、強制排出機構として強制排出孔５０１にピン５０２を差し込んで強制排出機構を動作させる場合を例に説明したが、これ以外にも専用の治具を用いて媒体排出機構のギアを回転させて強制排出する方法など他の機械的に媒体を強制排出する機構を備える場合でも同様に実施可能である。
【０１１４】
また本実施の形態３では、強制排出機構を動作不能状態と動作可能状態を機構的に切り替える強制排出機構切り替え手段としてシャッター５０３を例に説明したが、前記強制排出機構切り替え手段を、強制排出機構の強制排出レバーを強制排出孔５０１にピン５０２を挿入することで媒体１０１を強制排出させることが可能な位置と、強制排出レバーを強制排出孔５０１にピン５０２を挿入しても強制排出できない位置に、選択的に切り替える構成とすることもできる。さらに機構的に強制排出機構をロック状態とするなど電源供給・遮断状態に関わらず強制排出機構を動作不能とできる方法なら同様に実施可能である。
［実施の形態４］
以下に、本発明の請求項２７及び３４に記載した発明の実施の形態について図１〜図３及び図８を用いて説明する。なお、上記実施の形態１の構成と同一の構成には同一の符号を付して説明を省略する。また媒体認識処理及び媒体排出処理及び媒体排出禁止解除処理の流れについては実施の形態１と同一であるので説明を省略する。
【０１１５】
図８は本実施の形態に記載の発明のリムーバブル媒体にデータを記録する動作を示すフローチャートである。
この図８を用いて、媒体１０１に媒体排出禁止情報を記録する場合の動作について説明する。
ステップ−Ｓ９０１
第２制御手段７０１は、記録を開始する際には、媒体排出禁止コードを取得する。媒体排出禁止コードは記録制御ソフトウエアに情報処理装置の管理者が予め設定しておく方法、リムーバブル媒体記録再生装置１０９内の不揮発性記憶手段（図示せず）に予め情報処理装置の管理者が設定しておく方法などが考えられる。
ステップ−Ｓ９０２
次に第２制御手段７０１は、媒体排出禁止コードを特定の規則に従って暗号化する。もちろん、媒体排出禁止コードを容易に読み取ることが出来ない様に記録する場合や、それほどのセキュリティを必要としない場合には媒体排出禁止コードを暗号化しなくてもよい。
ステップ−Ｓ９０３
続いて次に第２制御手段７０１は、データの記録を開始し、たとえばＣＤ−Ｒ／ＲＷ記録再生装置の記録時にサブコード情報内に媒体排出禁止情報及び媒体排出禁止コードを埋め込む場合は、記録したいデータとともにエンコードを行いながら、媒体に記録を行う。
ステップ−Ｓ９０４
そして、第２制御手段７０１は記録動作を終了すると、媒体排出禁止状態として記録動作を終了する。
【０１１６】
以上のように本発明の実施の形態４によれば、媒体１０１にデータを記録する際に強制的に媒体排出禁止情報を記録するので情報処理装置内部からの外部へのリムーバブル媒体１０１によるデータの持ち出しを制限することができる情報帰依録再生装置のリムーバブル媒体記録再生装置の媒体排出制御方法を提供することができる。
【０１１７】
なお、本実施の形態４では、ＣＤ−Ｒ／ＲＷ記録再生装置においてデータと一緒に媒体排出禁止情報及び媒体排出禁止コードをサブコード情報に埋め込んで一緒に記録する場合を例に説明したが、この他にもＣＤ−Ｒ／ＲＷのＴＯＣ情報の一部に記録する方法や、他の媒体で専用領域を設けて記録する方法、通常のデータを記録する領域以外のたとえば、ＩＣチップなどを搭載した媒体の不揮発性メモリ領域に記録する方法など、媒体上の読み取り可能な領域に記録する方法であれば同様に実施可能である。記録するデータに埋め込んで記録を行わない場合には、データを記録する前後いずれで媒体排出禁止情報を記録しても実施可能であるが、データを記録後媒体排出禁止情報を記録する前に情報処理装置の電源を強制遮断された場合に媒体排出可能になってしまうことを考慮してデータ記録を行う前に媒体排出禁止情報を記録する方が好ましい。
【０１１８】
なお、上記実施の形態１〜４では、ＣＤ−ＲＯＭ／Ｒ／ＲＷ規格のディスク媒体を例に説明したが、他のＤＶＤ−ＲＯＭ／Ｒ／ＲＷなどのディスク媒体、テープ、メモリカードなどの非ディスク媒体でも同様に実施可能である。
【０１１９】
また上記実施の形態１〜４では、媒体搬送手段１０２はトレーである場合を例に説明したが、スロットローディング方式のローラーや、媒体を引き込むアーム、非ディスク媒体を電動でロード／イジェクト動作させる様々な機構で同様に実施可能である。
【０１２０】
また上記実施の形態１〜４では、装置外部に設けられたスイッチ手段１０４を備える場合を例に説明したが、装置外部に設けられたスイッチ手段１０４を備えず、ホストコンピュータ１０８よりインターフェイス手段１０７を介して送られてくる媒体排出命令によってのみ媒体を排出する場合でも同様に実施可能である。
【産業上の利用可能性】
【０１２１】
本発明にかかるリムーバブル媒体記録再生装置及びリムーバブル媒体記録再生装置の媒体排出制御方法及び情報処理装置のリムーバブル媒体排出制御方法は、リムーバブル媒体の予め定めた領域に記録された媒体排出禁止情報を用いてリムーバブル媒体の排出禁止を制御し、装置の電源投入直後の媒体に排出禁止情報が記録されているかどうかが判明するまでは媒体の排出を禁止して、装置の電源遮断後も排出禁止状態が解除されることがなく装置に挿入される媒体毎に使用者による媒体排出の可否を決定することができるので、リムーバブル媒体記録再生装置やリムーバブル媒体記録再生装置を備える情報処理装置において、セキュリティ上媒体を容易に排出させたくない場合たとえば機密情報の入ったリムーバブル媒体を装置外部に排出して持ち出すことを防止する用途に有効である。
【図面の簡単な説明】
【０１２２】
【図１】本発明の実施の形態１におけるリムーバブル媒体記録再生装置及び情報処理装置を、ＣＤ−Ｒ／ＲＷ記録再生装置とホストコンピュータで構成された情報処理装置に適用した場合のブロック図である。
【図２】本発明の実施の形態１における媒体認識処理、及びリムーバブル媒体記録再生装置の媒体排出処理の流れを示すフローチャートである。
【図３】本発明の実施の形態１におけるリムーバブル媒体記録再生装置の媒体排出禁止を解除する処理の流れを示すフローチャートである。
【図４】本発明の実施の形態１におけるリムーバブル媒体に媒体排出禁止情報を記録する処理を示すフローチャートである。
【図５】本発明の実施の形態２におけるリムーバブル媒体記録再生装置をＣＤ−Ｒ／ＲＷ記録再生装置に適用した場合のブロック図である。
【図６】本発明の実施の形態２における媒体認識処理、及びリムーバブル媒体記録再生装置の媒体排出処理の流れを示すフローチャートである。
【図７】本発明の実施の形態３におけるリムーバブル媒体記録再生装置をＣＤ−Ｒ／ＲＷ記録再生装置に適用した場合の装置の外観図、及び媒体の強制排出機構の動作可能／不能を切り替える機構の例を示す図である。
【図８】本発明の実施の形態４におけるリムーバブル媒体にデータを記録する処理を示すフローチャートである。
【符号の説明】
【０１２３】
１０１    リムーバブル媒体
１０２    媒体搬送手段
１０３    ロード／イジェクト駆動部
１０４    スイッチ手段
１０５    スイッチ手段
１０６    制御手段
１０７    インターフェイス手段
１０８    ホストコンピュータ
１０９    リムーバブル媒体記録再生装置
１１０    媒体排出禁止情報検出手段
３０１    不揮発性記憶手段
５０１    強制排出孔
５０２    ピン
５０３    シャッター
７０１    第２制御手段
７０２    入力手段
【図１】
2005209237.tif 000003
【図２】
2005209237.tif 000004
【図３】
2005209237.tif 000005
【図４】
2005209237.tif 000006
【図５】
2005209237.tif 000007
【図６】
2005209237.tif 000008
【図７】
2005209237.tif 000009
【図８】
2005209237.tif 000010